(57)【要約】【課題】  掃除機本体内が高温になってしまうことを防止することのできる電気掃除機を提供する。【解決手段】  底面に吸込開口を有する吸込室を形成した吸込口体２１と、集塵室３４と電動送風機３６と上下方向に延びるとともに前記吸込室に連通する連通管３２とを設けた掃除機本体３０と、この掃除機本体３０の上部から上方に延びたハンドル４０とを備え、掃除機本体３０は一端が前記集塵室に連通され他端が連通管３２に連通される案内管３９を有する電気掃除機であって、連通管３２と案内管３９との間にコードリール３８を配置した。【選択図】  図２
2005185342.tif 000002
【特許請求の範囲】
【請求項１】
底面に吸込開口を有する吸込室を形成した吸込口体と、集塵室と電動送風機と上下方向に延びるとともに前記吸込室に連通する連通管とコード巻取装置とを設けた掃除機本体と、この掃除機本体の上部から上方に延びたハンドルとを備え、前記掃除機本体は一端が前記集塵室に連通され他端が前記連通管に連通される案内管を有する電気掃除機であって、
前記連通管と案内管との間にコード巻取装置を配置するとともにそのコード巻取装置の回転軸を連通管および案内管に直交していることを特徴とする電気掃除機。
【請求項２】
底面に吸込開口を有する吸込室を形成した吸込口体と、集塵室と電動送風機と上下方向に延びるとともに前記吸込室に連通する連通管とを設けた掃除機本体と、この掃除機本体の上部から上方に延びたハンドルとを備え、前記掃除機本体は一端が前記集塵室に連通され他端が前記連通管に連通される案内管を有する電気掃除機であって、
前記連通管と案内管との間に電動送風機を駆動させる二次電池を配置したことを特徴とする電気掃除機。
【請求項３】
前記コード巻取装置を配置したコードリール室に前記集塵室または連通管または案内管に連通するリーク孔を設けたことを特徴とする請求項１に記載の電気掃除機。
【請求項４】
前記二次電池を配置した二次電池室に前記集塵室または連通管に連通するリーク孔を設けたことを特徴とする請求項２に記載の電気掃除機。
【請求項５】
前記集塵室とコードリール室との圧力差が所定値以上のとき、開成してコードリール室と集塵室とを連通するリーク弁を設けたことを特徴とする請求項１に記載の電気掃除機。
【請求項６】
前記集塵室と二次電池室との圧力差が所定値以上のとき、開成して二次電池室と集塵室とを連通するリーク弁を設けたことを特徴とする請求項２に記載の電気掃除機。
【発明の詳細な説明】
【技術分野】
【０００１】
この発明は、吸込口体に設けた接続管に掃除機本体を取り付けたアップライト式の電気掃除機に関する。
【背景技術】
【０００２】
従来から、いわゆるアップライト式の電気掃除機が知られている（特許文献１参照）。
【０００３】
かかる電気掃除機は、吸込口体と、この吸込口体の上に設けた掃除機本体と、この掃除機本体の上部に設けられるとともに上方に延びたハンドルとを備え、掃除機本体内には集塵室と電動送風機とコードリール（コード巻取装置）等とが設けられている。そして、電動送風機は集塵室の下に配置され、電動送風機の横にコードリールが配置されている。
【０００４】
この電気掃除機によれば、電動送風機およびコードリールが集塵室の下側に配置されているので、掃除機本体の重心が掃除機本体の中間位置より下側に位置する。このため、ハンドルの操作がし易く操作性のよいものとなる。
【特許文献１】特開平１０−５１５５号公報
【発明の開示】
【発明が解決しようとする課題】
【０００５】
しかしながら、このような電気掃除機にあっては、電動送風機とコードリールとが互いに隣接した位置に配置されているので、電動送風機およびコードリールから発生する熱が外へ放熱し難いものとなり、このため掃除機本体内が相乗的に高温になってしまい、掃除機本体ケースが変形してしまう虞があった。
【０００６】
この発明の目的は、掃除機本体内が高温になってしまうことを防止することのできる電気掃除機を提供することにある。
【課題を解決するための手段】
【０００７】
請求項１の発明は、底面に吸込開口を有する吸込室を形成した吸込口体と、集塵室と電動送風機と上下方向に延びるとともに前記吸込室に連通する連通管とコード巻取装置とを設けた掃除機本体と、この掃除機本体の上部から上方に延びたハンドルとを備え、前記掃除機本体は一端が前記集塵室に連通され他端が前記連通管に連通される案内管を有する電気掃除機であって、
前記連通管と案内管との間にコード巻取装置を配置するとともにそのコード巻取装置の回転軸を連通管および案内管に直交していることを特徴とする。
【０００８】
請求項２の発明は、底面に吸込開口を有する吸込室を形成した吸込口体と、集塵室と電動送風機と上下方向に延びるとともに前記吸込室に連通する連通管とを有する掃除機本体と、この掃除機本体の上部から上方に延びたハンドルとを備え、前記掃除機本体は一端が前記集塵室に連通され他端が前記連通管に連通される案内管を有する電気掃除機であって、
前記連通管と案内管との間に電動送風機を駆動させる二次電池を配置したことを特徴とする。
【発明の効果】
【０００９】
この発明によれば、コードリールと二次電池を連通管と案内管との間に配置したので、コードリールと二次電池から発生する熱は連通管と案内管を通る空気によって外部へ放熱されることになる。すなわち、連通管と案内管を通る空気によってコードリールは冷却されることになり、掃除機本体内が高温になってしまうことが防止される。しかも、連通管と案内管は電動送風機の上流側となるので、その連通管および案内管を通る空気は電動送風機によって暖められていないので、その冷却効果は大きなものとなる。また、二次電池の温度上昇による機能低下を防止することができる。
【発明を実施するための最良の形態】
【００１０】
以下、この発明に係る電気掃除機の実施の形態を図面に基づいて説明する。
【実施例】
【００１１】
［第１実施例］
図１および図２に示すアップライト式の電気掃除機２０は、底面に図示しない吸込開口を有する吸込室（図示せず）を形成した吸込口体２１と、掃除機本体３０と、この掃除機本体３０の上部から上方に延びたハンドル４０とを備えている。
【００１２】
吸込口体２１の後部には吸込室に連通した連結管部２２が設けられており、この連結管部２２は上下方向（矢印方向）に回動するようになっている。
【００１３】
掃除機本体３０の左側（図２において）には上下方向に延びた連通管３２が設けられており、この連通管３２の下部が吸込口体２１の連結管部２２に着脱自在に接続され、連通管３２が連結管部２２を介して吸込口体２１の吸込室に連通している。
【００１４】
この連通管３２の上部には上下方向に延びたパイプからなるハンドル４０の先端部が着脱自在に接続され、連通管３２とハンドル４０とが連通している。ハンドル４０の上端には集塵ホース４２の一端が接続され、またハンドル４０の上部には把手部４１が設けられている。
【００１５】
掃除機本体３０内には、下から電動室３３と集塵室３４とコードリール室３５とがこの順序で区画形成されており、電動室３３には集塵室３４を負圧にする電動送風機３６が設けられている。また、集塵室３４には集塵フィルタ３７が着脱可能に装着されており、コードリール室３５にはコードリール（コード巻取装置）３８が設けられている。
【００１６】
コードリール室３５のほぼ中央部には上下方向に延びた案内管３９が配置されており、この案内管３９の下端が集塵室３４に連通している。そして、この案内管３９と連通管３２との間にコードリール３８が配置されている。また、コードリール３８はコードを巻き取る巻取枠（図示せず）の回動軸Ｊが図２に示すように連通管３２および案内管３９に対してほぼ直交するように配置されている。
【００１７】
また、案内管３９の上部には集塵ホース４２の他端が接続されており、集塵室３４が案内管３９,集塵ホース４２,ハンドル４０,連通管３２および連結管部２２を介して吸込口体２１の吸込室に連通している。
【００１８】
掃除機本体３０の側部の上側にはコードリール３８からコードを引き出すための引出口４３が設けられており、掃除機本体３０の側部の下側には排気孔４４が形成され、電動送風機３６が吸引した空気が排気孔４４から掃除機本体３０外へ排気されるようになっている。
［動  作］
次に、上記のように構成される電気掃除機２０の動作について説明する。
【００１９】
図示しない電源スイッチをオンにすると、電動送風機３６が駆動されて集塵室３４の空気が電動送風機３６により吸引されていく。この吸引により集塵室３４が負圧となり、この負圧が案内管３９,集塵ホース４２,ハンドル４０,連通管３２および連結管部２２を介して吸込口体２１の吸込室に作用し、吸込室の吸込開口から空気とともに塵埃が吸引されていく。吸込室に吸引された空気および塵埃は連結管部２２,連通管３２,ハンドル４０,集塵ホース４２および案内管３９を介して掃除機本体３０の集塵室３４へ吸引されていき、塵埃が集塵フィルタ３７に集塵されていく。なお、集塵方式は集塵フィルタ３７のないサイクロン方式であってもよい。
【００２０】
電動送風機３６により吸引された空気は電動送風機３６のモータ内を通ってこのモータを冷却していく。モータを冷却した空気は電動室３３を介して排気孔４４から外気へ排気されていく。
【００２１】
また、電動送風機３６の駆動とともにコードリール３８から熱が発生するが、コードリール３８の両側に連通管３２と案内管３９が配置され、この連通管３２および案内管３９に外部から吸い込まれた比較的冷たい空気が流れていくので、その発生する熱は連通管３２と案内管３９を通る空気によって外部へ放熱されていく。すなわち、連通管３２と案内管３９を通る空気によってコードリール３８は冷却されていく。
【００２２】
このため、コードリール３８から発生する熱によって掃除機本体３０内の温度が上昇してしまうことが防止される。しかも、連通管３２と案内管３９は電動送風機３６の上流側に設けられているので、その連通管３２および案内管３９を通る空気は電動送風機３６によって暖められていないので、その冷却効果は大きく、掃除機本体３０を構成する樹脂製のケースが変形してしまう虞を確実に防止することができる。
［第２実施例］
図３は第２実施例の電気掃除機１２０を示したものである。この第２実施例の電気掃除機１２０は、案内管３９に小孔のリーク孔３９ａを設けてコードリール室３５と案内管３９とを連通させ、掃除機本体３０の引出口４３（図１参照）からコードリール室３５を通って案内管３９のリーク孔３９ａから案内管３９へ空気が流れるようにしたものである。また、連通管３２にリーク孔を設けてコードリール室３５と連通管３２とを連通してもよい。
【００２３】
このようにコードリール室３５に空気を流してコードリール３８を直接冷却させるようにしたものであるから、掃除機本体３０内の温度上昇をより確実に防止することができる。
【００２４】
この第２実施例では、リーク孔３９ａを案内管３９に設けているが、集塵室３４とコードリール室３５を区画する区画壁４５（図４参照）にリーク孔を設けてもよい。
［第３実施例］
図４は第３実施例の電気掃除機２２０を示したものである。この第３実施例の電気掃除機２２０は、区画壁４５に孔４５ａを設け、この孔４５ａにコードリール室３５に配置したリーク弁５０を取り付けたものである。このリーク弁５０は、集塵室３４とコードリール室３５との圧力差が所定値以上になったとき開成して、コードリール室３５と集塵室３４とが連通するようになっている。その圧力差が所定値より小さいとき、リーク弁５０は閉成しており、コードリール室３５と集塵室３４は非連通状態となっている。
【００２５】
この第３実施例の電気掃除機２２０によれば、集塵フィルタ３７に塵埃が溜まって集塵フィルタ３７が目詰まりすると集塵室３４の負圧が大きくなり、コードリール室３５と集塵室３４との圧力差が所定値以上となる。その圧力差が所定値以上になると、リーク弁５０が開成してコードリール室３５と集塵室３４とが連通し、掃除機本体３０の引出口４３（図１参照）からコードリール室３５を通ってリーク弁５０および区画壁４５の孔４５ａを介して集塵室３４へ空気が流れ、さらに電動送風機３６へと空気は流れていく。
【００２６】
このように、集塵フィルタ３７が目詰まりすると、すなわち集塵フィルタ３７の目詰まりによって負荷が増加してコードリール３８の発熱量が多くなると、リーク弁５０が開成してコードリール室３５に空気が流れていくので、この空気によってコードリール３８が冷却されていく。このため、負荷の増加によるコードリール３８の発熱によって掃除機本体３０内の温度上昇が確実に防止される。
【００２７】
また、集塵フィルタ３７が目詰まりしても、リーク弁５０が開成して集塵室３４へ空気が流れて電動送風機３６へ空気が流れていくので、電動送風機３６の温度上昇を抑えることができる。
［第４実施例］
図５および図６は第４実施例の電気掃除機３２０を示したものである。この第４実施例の電気掃除機３２０は、コードリール３８の替わりに蓄電池（二次電池）３２１を搭載した充電式の電気掃除機である。３３５は蓄電池室であり、３２６は掃除機本体３３０に設けた開口３２７を開閉する蓋であり、この蓋３２６を開けることによって蓄電池３２１を蓄電池室３３５から取り出したり収納したりする。
【００２８】
この電気掃除機３２０は、蓄電池３２１を第１実施例と同様に連通管３２と案内管３９を通る空気によって冷却するようにしたものである。
【００２９】
図７は、他の例の電気掃除機４２０を示したものであり、この電気掃除機４２０は第２実施例と同様に案内管３９に小孔のリーク孔３９ａを設けて、蓄電池３２１を直接空気で冷却するようにしたものである。なお、空気は掃除機本体３３０の開口３２７と蓋３２６との間の隙間から蓄電池室３３５へ流れていくようになっている。
【００３０】
図８は、別な他の例の電気掃除機５２０を示したものである。この電気掃除機５２０は、第３実施例と同様に区画壁４５の孔４５ａにコードリール室３５に配置したリーク弁５０を取り付けたものである。
【００３１】
この電気掃除機５２０は、第３実施例と同様に、集塵フィルタ３７が目詰まりした際に、リーク弁５０を開成して蓄電室３３５に空気を流がして蓄電池３２１を冷却するようにしたものである。
【図面の簡単な説明】
【００３２】
【図１】この発明に係る電気掃除機の外観を示した斜視図である。
【図２】図１に示す電気掃除機の掃除機本体の構成を示した断面図である。
【図３】第２実施例の掃除機本体の構成を示した断面図である。
【図４】第３実施例の掃除機本体の構成を示した断面図である。
【図５】第４実施例の電気掃除機の外観を示した斜視図である。
【図６】第４実施例の電気掃除機の掃除機本体の構成を示した断面図である。
【図７】他の例の掃除機本体の構成を示した断面図である。
【図８】別な他の例の掃除機本体の構成を示した断面図である。
【符号の説明】
【００３３】
２１      吸込口体
３０      掃除機本体
３２      連通管
３４      集塵室
３８      コードリール（コード巻取装置）
３９      案内管
４０      ハンドル
【図１】
2005185342.tif 000003
【図２】
2005185342.tif 000004
【図３】
2005185342.tif 000005
【図４】
2005185342.tif 000006
【図５】
2005185342.tif 000007
【図６】
2005185342.tif 000008
【図７】
2005185342.tif 000009
【図８】
2005185342.tif 000010